(57)【特許請求の範囲】
【請求項１】
一面に開口面を有したボディおよびボディの開口面側に結合されるカバーにより形成された器体と、カバーに揺動自在に設けたハンドルと、ボディに収納され電線が接続される複数個の端子板と、ボディに収納されハンドルの揺動に伴って端子板間の電路を開閉する接点装置と、ハンドルに取り付けられ電源と負荷との間に接点装置を挿入した電路が形成されているときに接点装置が開放された状態で電源から通電される位置表示灯と、少なくとも１つの端子板に一端部が固定され他端部が位置表示灯を実装した回路基板の導電部に弾接することにより端子板と位置表示灯とを電気的に接続する接触子とを備え、接触子が固定される端子板はボディの開口面に沿った連結片を備え、接触子の前記一端部が連結片のカバー側の表面に重なる取付片を備えるとともに、連結片の両側部に結合される結合部を取付片の両側縁に備え、さらに接触子の前記取付片において結合部を設けた側縁とは異なる周縁にカバーから突設された押さえ片と前記連結片との間に挟持される延設片が設けられていることを特徴とするスイッチ。
【請求項２】
前記取付片の一方の側縁に設けた結合部が前記連結片の一方の側部を囲む断面コ字状に形成された係止片であり、前記取付片の他方の側縁に設けた結合部が前記連結片の他方の側面に沿って延長された挟み片および挟み片を切り起こして形成され前記取付片の裏面側に係止される係止爪であることを特徴とする請求項１記載のスイッチ。
【請求項３】
前記ボディに３個の端子板が収納され、２個の端子板にそれぞれ保持された固定接点に選択的に接触する可動接点が残りの端子板に電気的に接続され、固定接点を保持する２個の端子板にそれぞれ前記接触子が固定されることを特徴とする請求項１または請求項２記載のスイッチ。
【発明の詳細な説明】
【０００１】
【発明の属する技術分野】
本発明は、負荷に通電していないときに点灯する位置表示灯を備えたスイッチに関するものである。
【０００２】
【従来の技術】
従来から、照明負荷のオンオフに用いるスイッチでは、照明負荷の消灯時に点灯する位置表示灯を内蔵したものが提供されている。この種のスイッチとしては、たとえば図６に示すような３路スイッチと称する切換スイッチが従来から知られている。図示するスイッチは、一面に開口面を有したボディ１０と、揺動する反転ハンドル５０を保持したカバー２０とを結合して器体１が形成されるものであり、ボディ１０には端子装置を構成する３個の端子板３２，４５，４６が収納される。端子板４５，４６にはそれぞれ固定接点４１ｂ（一方の固定接点は同図では見えない位置に存在する）が保持され、両固定接点４１ｂは互いに対向する。また、残りの端子板３２には開閉素子４０′が揺動自在に支持され、開閉素子４０′には両固定接点４１ｂの間に挿入されて各固定接点４１ｂにそれぞれ離接可能な２個の可動接点４２ａ（一方の可動接点は同図では見えない位置に存在する）が保持される。この開閉素子４０′は反転ハンドル５０との間に反転ばね４４を保持しており、反転ハンドル５０が揺動することによって開閉素子４０′が揺動し、各可動接点４２ａが対応する固定接点４１ｂに選択的に接触するように構成してある。つまり、反転ハンドル５０の揺動に伴って、端子板３２が端子板４５との間の電路が閉成される状態と、端子板３２が端子板４６との間の電路が閉成される状態とが選択されるのである。
【０００３】
反転ハンドル５０には回路基板７０が取り付けられ、回路基板７０にはネオンランプからなる位置表示灯７１が実装される。また、反転ハンドル５０の前面側には操作ハンドル６０が一体に結合され、反転ハンドル５０と操作ハンドル６０とによってスイッチのハンドルが構成される。また、操作ハンドル６０には位置表示灯７１からの光を取り出すためのプリズム６３が取り付けられ、操作ハンドル６０には一側縁に沿って化粧用のハンドルライン６４が取り付けられる。上述したプリズム６３の一部はハンドルライン６４から露出する。
【０００４】
ところで、３路スイッチにおいては両固定接点４１ｂの間に位置表示灯７１を挿入し、かつ位置表示灯７１は反転ハンドル５０とともに器体１に対して揺動するから、各端子板４５，４６と回路基板７０とを電気的に接続するための接触子４７が設けられる。接触子４７は一端部が端子板４５，４６に固定され、他端部が回路基板７０に弾接するように、弾性を有した材料により形成されている。
【０００５】
具体的には、接触子４７は、図７および図８に示すように、端子板４５，４６においてボディ１０の開口面に沿う連結片４５ｃ，４６ｃにおけるカバー２０側の表面に重なる取付片４７ａを備えるとともに、取付片４７ａの一方の側縁に結合部として連結片４５ｃ，４６ｃの側部を囲む断面コ字状の係止片４７ｂが一体に設けられ、取付片４７ａの他方の側縁に結合部として連結片４５ｃ，４６ｃの側面に沿って延長された挟み片４７ｃおよび挟み片４７ｃを切り起こして形成した係止爪４７ｄが一体に設けられた形状を有している。したがって、係止片４７ｂを連結片４５ｃ，４６ｃの側部に引っ掛けた後に、挟み片４７ｃを連結片４５ｃ，４６ｃの側縁に当接させながら取付片４７ａを連結片４５ｃ，４６ｃに押し付けると、係止爪４７ｄが連結片４５ｃ，４６ｃの裏面側に係止されることで、接触子４７が端子板４５，４６に固定されることになる。このような構造を採用していることによって、端子板４５，４６への接触子４７の取付作業が簡単になり、組立作業が容易になるのである。
【０００６】
【発明が解決しようとする課題】
上述した構成では端子板４５，４６における連結片４５ｃ，４６ｃの左右両側部で接触子４７が位置保持されているものの、係止片４７ｂは連結片４５ｃ，４６ｃに引っ掛けることによって係止されているのみであり、係止爪４７ｄは連結片４５ｃ，４６ｃに対して線接触しているのみであるから、端子板４５，４６に対する接触子４７の固定強度は比較的小さく、反転ハンドル５０の揺動に伴って接触子４７に作用する力によって、接触子４７が端子板４５，４６に対してがたつく可能性がある。
【０００７】
本発明は上記事由に鑑みて為されたものであり、その目的は、接触子の端子板への取付作業を複雑にすることなく端子板に対する接触子の固定強度を従来構成よりも強固にして端子板に対する接触子のがたつきを防止したスイッチを提供することにある。
【０００８】
【課題を解決するための手段】
請求項１の発明は、一面に開口面を有したボディおよびボディの開口面側に結合されるカバーにより形成された器体と、カバーに揺動自在に設けたハンドルと、ボディに収納され電線が接続される複数個の端子板と、ボディに収納されハンドルの揺動に伴って端子板間の電路を開閉する接点装置と、ハンドルに取り付けられ電源と負荷との間に接点装置を挿入した電路が形成されているときに接点装置が開放された状態で電源から通電される位置表示灯と、少なくとも１つの端子板に一端部が固定され他端部が位置表示灯を実装した回路基板の導電部に弾接することにより端子板と位置表示灯とを電気的に接続する接触子とを備え、接触子が固定される端子板はボディの開口面に沿った連結片を備え、接触子の前記一端部が連結片のカバー側の表面に重なる取付片を備えるとともに、連結片の両側部に結合される結合部を取付片の両側縁に備え、さらに接触子の前記取付片において結合部を設けた側縁とは異なる周縁にカバーから突設された押さえ片と前記連結片との間に挟持される延設片が設けられているものである。
【０００９】
請求項２の発明は、請求項１の発明において、前記取付片の一方の側縁に設けた結合部が前記連結片の一方の側部を囲む断面コ字状に形成された係止片であり、前記取付片の他方の側縁に設けた結合部が前記連結片の他方の側面に沿って延長された挟み片および挟み片を切り起こして形成され前記取付片の裏面側に係止される係止爪であることを特徴とする。
【００１０】
請求項３の発明は、請求項１または請求項２の発明において、前記ボディに３個の端子板が収納され、２個の端子板にそれぞれ保持された固定接点に選択的に接触する可動接点が残りの端子板に電気的に接続され、固定接点を保持する２個の端子板にそれぞれ前記接触子が固定されるものである。
【００１１】
【発明の実施の形態】
以下に説明する実施の形態では、単極双投型のスイッチ（３路スイッチ）を例示するが、本発明の技術思想は他の構成のスイッチにも適用可能である。
【００１２】
図１ないし図３に示すスイッチは、前面（図２の上面）が開口した直方体状の合成樹脂成形品のボディ１０と、矩形枠状に形成されボディ１０の前面側に結合される合成樹脂成形品のカバー２０とにより構成される器体１を備える。ボディ１０の幅方向における両外側面にはボディ１０の長手方向に離間して各一対の組立突起１１が突設され、カバー２０の後端縁からは組立舌片２１が後方に延設され、組立舌片２１に設けた組立孔２１ａに組立突起１１が係合することによってボディ１０とカバー２０とが結合される。
【００１３】
ボディ１０には、ボディ１０の後壁に設けた電線挿入孔１２を通して器体１に挿入される電線をそれぞれ接続する３個の端子装置３０ｂ，３０ｃ，３０ｄと、端子装置３０ｂ，３０ｃの間の電路を閉成する状態と、端子装置３０ｂ，３０ｄの間の電路を閉成する状態とを選択する接点装置４０とが収納される。一方、カバー２０の中央部の開口窓２２には合成樹脂成形品の反転ハンドル５０がカバー２０に対して揺動自在に枢支された形で装着され、この反転ハンドル５０の揺動に伴って接点装置４０が電路を開閉する。反転ハンドル５０の前面側にはカバー２０の前面に重複する合成樹脂成形品の操作ハンドル６０が着脱可能に結合され、操作ハンドル６０を操作部として揺動させることにより、反転ハンドル５０が揺動して接点装置４０が開閉されるようにしてある。つまり、反転ハンドル５０と操作ハンドル６０とが一体になってハンドルとして機能する。
【００１４】
ボディ１０の内側面には、端子装置３０ｂ，３０ｃ，３０ｄおよび接点装置４０を位置決めするための保持リブ１３および保持溝１４がそれぞれ複数形成されている。端子装置３０ｂと端子装置３０ｃ，３０ｄとはボディ１０の長手方向の各端部内にそれぞれ配置され、接点装置４０はボディ１０の長手方向の中央部内に配置される。
【００１５】
端子装置３０ｂ，３０ｃ，３０ｄは、導電性の金属板により形成された端子板３２，４５，４６をそれぞれ備える。端子装置３０ｂは、端子板３２に対応する２個の鎖錠ばね３３を備えるとともに、両鎖錠ばね３３に当接する合成樹脂成形品の１個の解除釦３４を備える。一方、端子装置３０ｃ，３０ｄは、それぞれ端子板４５，４６に対応する１個ずつの鎖錠ばね３３を備えるとともに、両鎖錠ばね３３に当接する合成樹脂成形品の１個の解除釦３４を備える。各端子板３２，４５，４６は、それぞれボディ１０の長手方向の両端部付近でボディ１０の幅方向の内側面に設けた保持溝１４に側部が挿入保持される主片３２ａ，４５ａ，４６ａと、主片３２ａ，４５ａ，４６ａに対向する当接片３２ｂ，４５ｂ，４６ｂと、主片３２ａ，４５ａ，４６ａと当接片３２ｂ，４５ｂ，４６ｂとの前端縁間をそれぞれ連続一体に連結するようにボディ１０の開口面に沿って延長された連結片３２ｃ，４５ｃ，４６ｃとを備える。当接片３２ｂ，４５ｂ，４６ｂはボディ１０の長手方向の中央部付近でボディ１０の幅方向の内側面に形成された保持リブ１３に当接し、保持リブ１３と保持溝１４との間で各端子板３２，４５，４６がそれぞれボディ１０に保持される。さらに、各端子板４５，４６にはそれぞれ連結片４５ｃ，４６ｃから連続一体に延長され先端部にそれぞれ固定接点４１ａ，４１ｂを設けた接点保持片４５ｄ，４６ｄが設けられる。端子装置３０ｃ，３０ｄの接点保持片４５ｄ，４６ｄの先端部は互いに対向するように配置され、固定接点４１ａ，４１ｂは対向する。また、端子板３２には当接片３２ｂの後端縁からボディ１０の長手方向の中央部に向かってボディ１０の後面に沿う形で支持片３２ｄが延設され、支持片３２ｄの先端部には前面開放された断面Ｖ字状の支点用溝３２ｅが支持片３２ｄの延長方向に直交する形で形成される。
【００１６】
鎖錠ばね３３は主片３２ａ，４５ａ，４６ａと当接片３２ｂ，４５ｂ，４６ｂとの間に収納される。鎖錠ばね３３は、帯状の板ばねの一端部をＳ字状に曲成して接触片３３ａを形成し、他端部をＪ字状に曲成して鎖錠片３３ｂを形成し、接触片３３ａと鎖錠片３３ｂとの間を接続片３３ｃにより連続一体に連結した形状に形成される。また、接触片３３ａおよび鎖錠片３３ｂは接続片３３ｃに対して厚み方向の同じ側に突出する。鎖錠ばね３３を各端子板３２，４５，４６の主片３２ａ，４５ａ，４６ａと当接片３２ｂ，４５ｂ，４６ｂとの間に装着するに際しては、接続片３３ｃを当接片３２ｂ，４５ｂ，４６ｂに当接させる形で接触片３３ａおよび鎖錠片３３ｂを主片３２ａ，４５ａ，４６ａに対向させる。ここに、接触片３３ａおよび鎖錠片３３ｂの先端部は、先端側ほど接続片３３ｃから離れる向きに傾斜し、かつ互いに略平行になるように延長されている。また、接触片３３ａおよび鎖錠片３３ｂの先端部は、先端側ほど連結片３２ｃ，４５ｃ，４６ｃとの距離を小さくするように配置される。
【００１７】
上述した電線挿入孔１２は、端子板３２，４５，４６の主片３２ａ，４５ａ，４６ａと接触片３３ａおよび鎖錠片３３ｂとの間に対応する部位に形成され、電線挿入孔１２を通して器体１に電線を挿入すると、電線の先端部が主片３２ａ，４５ａ，４６ａと接触片３３ａおよび鎖錠片３３ｂとの間に挟持され、電線が主片３２ａ，４５ａ，４６ａに接触して端子装置３０ｂ，３０ｃ，３０ｄと電線とが電気的に接続されるとともに、鎖錠片３３ｂの先端縁が電線に食い込むことによって電線が器体１から抜けないように機械的に保持される。とくに、鎖錠片３３ｂは電線挿入孔１２を通して電線を挿入する向きにおいて主片３１ｂ，４５ｂ，４６ｂとの距離を小さくするように傾斜しているから、電線を引き抜く向きの力に対して鎖錠片３３ｂが撓みにくく、電線の引き抜きを確実に阻止することになる。ここに、電線は絶縁被覆電線であって器体１に挿入する部位は芯線が露出するように絶縁被覆が除去される。したがって、主片３２ａ，４５ａ，４６ａと鎖錠ばね３３との間に電線が挟持されるとは実際には芯線が挟持されることを意味する。
【００１８】
ボディ１０の後壁には解除釦３４に対応する部位に操作孔１５が貫設される。解除釦３４は端子装置３０ｂに設けた２個の鎖錠ばね３３の間に１個が配置されるとともに、端子装置３０ｃ，３０ｄにそれぞれ１個ずつ設けた２個の鎖錠ばね３３の間に１個が配置される。各解除釦３４には、それぞれ２個の鎖錠ばね３３の鎖錠片３３ｂの後面側にそれぞれ当接する２個の押し片３４ａが側面から突出する。操作孔１５はマイナスドライバの先端部のような工具が挿入可能となる形状を有し、工具を操作孔１５に挿入して解除釦３４を前方に押圧すると、鎖錠片３３ｂが押し片３４ａから押圧力を受けることにより主片３２ａ，４５ａ，４６ａから離れる向きに撓むようにしてある。したがって、上述のようにして端子装置３０ｂ，３０ｃ，３０ｄに電線を接続した状態で操作孔１５に工具を挿入して解除釦３４を押圧すれば、鎖錠片３３ｂが電線から離れるように撓んで電線の機械的保持が解除され、電線を器体１から引き抜くことが可能になる。ここに、解除釦３４には２個の押し片３４ａが設けられ、２個の鎖錠ばね３３の鎖錠片３３ｂを同時に押圧するから、端子装置３０ｂに２本の電線を接続しているときや、端子装置３０ｃ，３０ｄにそれぞれ１本ずつの電線を接続しているときには、それぞれ１個の解除釦３４を押圧すれば２本の電線の機械的保持を同時に解除することができる。
【００１９】
接点装置４０は、端子板３２の支持片３２ｄに対して枢支された板状の開閉素子４３を備え、開閉素子４３の厚み方向の両面には端子板４５，４６の接点保持片４５ｄ，４６ｄに設けた固定接点４１ａ，４１ｂにそれぞれ離接する可動接点４２ａ，４２ｂが設けられる。開閉素子４３の後端縁は支持片３２ｄに設けた支点用溝３２ｅに挿入され、支点用溝３２ｅを中心として開閉素子４３が回動可能になっている。開閉素子４３が回動すると各固定接点４１ａ，４１ｂに各可動接点４２ａ，４２ｂが選択的に接触する。つまり、固定接点４１ａに可動接点４２ａが接触している間は可動接点４２ｂは固定接点４１ｂから離れ、固定接点４１ｂに可動接点４２ｂが接触している間は可動接点４２ａは固定接点４１ａから離れる。開閉素子４３の一端部は支点用溝３２ｅに挿入されているから、開閉素子４３の回動中心を安定させて開閉素子４３を安定に回動させることができる。ボディ１０の長手方向の中央部であってボディ１０の後部には開閉素子４３の側縁に突設された突片４３ａが挿入されるＶ字状の回動規制溝１６が形成され、回動規制溝１６によって開閉素子４３の回動範囲が規制される。開閉素子４３と反転ハンドル５０との間にはコイルスプリングからなる反転ばね４４が保持されており、開閉素子４３の前端部には反転ばね４４の一端部内に挿入されるばね座片４３ｂが突設される。
【００２０】
反転ばね４４の他端部は反転ハンドル５０の後面側に設けた筒部（図示せず）に挿入される。器体１の幅方向における反転ハンドル５０の両側面には支点突起５１が突設され、各支点突起５１は前端部が先細りとなる形状に形成されている。カバー２０の長手方向の中央部であって幅方向の両側部には開口窓２２の周縁から前方に突出する一対の軸受突片２３が突設され、両軸受突起２３の対向面には反転ハンドル５０の支点突起５１が挿入される軸受凹所２４が形成される。軸受凹所２４は少なくとも前端部において支点突起５１を揺動可能に枢支する。反転ハンドル５０の長手方向の一端部には後述する位置表示灯７１からの光を透過させるための透孔５２が貫設され、さらに反転ハンドル５０の長手方向の両端面には操作ハンドル６０を反転ハンドル５０に結合するための結合爪５３がそれぞれ突設される。
【００２１】
なお、カバー２０の長手方向の両端部にはカバー２０の両端部側縁に沿ってカバー２０の前面から突出する当てリブ２５がそれぞれ突設され、各当てリブ２５の外側面には各一対の取付爪２６が突設される。ここでは詳しく説明しないが、取付爪２６は配線器具用の取付枠に設けた取付孔に係合することによって器体１を取付枠に保持させるために設けてあり、壁面などの施工面に器体１の一部を埋め込む形で施工する際に、施工面に固定される取付枠への器体１の結合作業が容易になっている。また、当てリブ２５は器体１を取付枠に取り付けたときに取付枠の裏面側に当接することになる。操作ハンドル６０は両当てリブ２５の間に配置され、操作ハンドル６０は揺動時において当てリブ２５に干渉しないように形成される。このように当てリブ２５をカバー２０に突設し当てリブ２５に取付爪２６を設けたことによって、当てリブ２５を設けない場合に比較すると操作ハンドル６０を後方に位置させることが可能になり、施工状態においてカバー２０と操作ハンドル６０との間に形成される隙間が外部から見えにくくなる。
【００２２】
操作ハンドル６０は、図１に示すように、反転ハンドル５０の前面を覆い、操作ハンドル６０の後面には反転ハンドル５０に設けた結合爪５３に係合する結合脚６１が突設される。結合脚６１の先端部（後端部）には結合爪５３の後面に係合する脚爪６１ａが形成され、操作ハンドル６０の後面に突設した押さえ突起６２と脚爪６１ａとの間で反転ハンドル５０が保持され、結果的に操作ハンドル６０が反転ハンドル５０に固定されることになる。さらに、操作ハンドル６０の長手方向の一端部には位置表示灯７１からの光を外部に取り出すように導光するためのプリズム６３が固着される。
【００２３】
ところで、反転ハンドル５０の後端部には合成樹脂成形品からなる回路基板７０が保持される。回路基板７０にはネオンランプからなる位置表示灯７１および位置表示灯７１の限流用の抵抗（図示せず）が実装される。また、回路基板７０の後面であって反転ハンドル５０の長手方向の一端部に対応する部位には導電部として一対の接触用導電パターン（図示せず）が形成されている。回路基板７０の中央部には円形に開口した圧入孔７４が形成され、反転ハンドル５０に設けた筒部が圧入孔７４に圧入されることによって、反転ハンドル５０に回路基板７０が固定されるようにしてある。この状態において位置表示灯７１は反転ハンドル５０の透孔５２を通してプリズム６３に対向するように配置される。回路基板７０に実装した回路（位置表示灯７１と抵抗との直列回路）の両端は各接触用導電パターンにそれぞれ接続される。
【００２４】
各端子板４５，４６の連結片４５ｃ，４６ｃには導電性の金属板からなる接触子４７が固定される。各接触子４７は、図４に示すように、連結片４５ｃ，４６ｃの前面に重ねて取り付けられる取付片４７ａを備え、取付片４７ａの一方の側縁には連結片４５ｃ，４６ｃの一方の側部を囲むように断面コ字状に形成された係止片４７ｂが結合部として連続一体に設けられるとともに、取付片４７ｂの他方の側縁には連結片４５ｃ，４６ｃの他方の側面に沿って延長された挟み片４７ｃが結合部として連続一体に設けられる。さらに、挟み片４７ｃには連結片４５ｃ，４６ｃの裏面側に係止される係止爪４７ｄが切り起こしによって形成されている。
【００２５】
したがって、図５に示すように、連結片４５ｃ，４６ｃの一方の側縁に係止片４７ｂを引っ掛けるようにし、連結片４５ｃ，４６ｃの他方の側縁に係止爪４７ｄを係止することによって、連結片４５ｃ，４６ｃに接触子４７を固定することができる。接触子４７の取付片４７ａにおいて係止片４７ｂおよび挟み片４７ｃを設けていない一つの側縁からは、回路基板７０に設けた接触用導電パターンに弾接する接触片４７ｅも延設される。この接触片４７ｅに適宜の弾性を付与することにより反転ハンドル５０の揺動にかかわらず接触子４７がつねに回路基板７０に弾接することになる。
【００２６】
取付片４７ａの残りの側縁には連結片４５ｃ，４６ｃに重なるように延長された延設片４７ｆが設けられる。なお、延設片４７ｆは係止片４７ｂ寄りに設けられる。これは、係止爪４７ｄには弾性があり、取付片４７ａの一方の側部では取付片４７ａと係止爪４７ｄとの間で連結片４５ｃ，４６ｃを挟持するから、連結片４５ｃ，４６ｃに対する接触子４７のがたつきが少ないのに対して、取付片４７ａの他方の側部では連結片４５ｃ，４６ｃに係止片４７ｂを引っ掛けているだけであって、より確実な固定構造を要するからである。
【００２７】
図１に示すように、カバー２０の内周面には押さえ片２７が突設されており、ボディ１０にカバー２０を結合すると、押さえ片２７の後端面と端子板４５，４６の連結片４５ｃ，４６ｃとの間に延設片４７ｆを挟持する。つまり、ボディ１０とカバー２０との結合によって延設片４７ｆが端子板４５，４６とカバー２０との間に挟持され、接触子４７が確実に固定されるのである。
【００２８】
上述したスイッチの動作を簡単に説明する。いま、図１のように操作ハンドル６０の右端部が左端部よりも後方（図の下方）に位置するときには可動接点４２ａが固定接点４１ａに接触するようにしているものとする。このとき反転ばね４４は中間部が両端部よりも左側に膨らんだ状態になり、反転ばね４４によって可動接点４２ａが固定接点４１ａに押圧されて接点圧が付与される。一方、この状態から操作ハンドル６０の左端部を後方に押すと、反転ばね４４の前端部が右側に移動することにより反転ばね４４は圧縮された後に急速に伸長して中間部が両端部よりも右側に膨らんだ状態になり、このとき開閉素子４３を右側に倒して可動接点４２ｂを固定接点４１ｂに接触させる。つまり、反転ばね４４ｂのばね力は反転ハンドル５０を左回りに回転させる向きに作用し、可動接点４２ｂを固定接点４１ｂに接触させる接触圧が生じることになる。
【００２９】
この種の３路スイッチは階段灯の点灯・消灯に用いられることが多く、階上と階下とにそれぞれ３路スイッチを配置することによって、階段灯の点灯・消灯とを階上と階下とのいずれにおいても操作可能とする用途が広くしられている。したがって、両固定接点３１ａ，３１ｂの間に位置表示灯７１と抵抗との直列回路を挿入しておけば、階段灯の消灯時に位置表示灯７１を点灯させることができ、暗がりでもスイッチの場所を容易に見つけることができるようになる。この種の回路の接続関係は周知であるから説明を省略する。
【００３０】
ところで、上述した端子装置３０ａ，３０ｂに用いる端子板３１，３２は、電線の芯線が撚り線である場合にも対応可能となるように構成してある。具体的には、端子板３２，４５，４６の主片３２ａ，４５ａ，４６ａにおいて鎖錠ばね３３の鎖錠片３３ｂの先端部付近において、鎖錠片３３ｂが接触可能な部位であって電線挿入孔１２を通して器体１に導入された電線が接触する部位の両側に一対の案内突部３８を突設してある。両案内突部３８は主片３２ａ，４５ａ，４６ａの幅方向に並ぶように配置されている。したがって、電線挿入孔１２から芯線が撚り線である電線を導入した場合に、電線がばらばらに広がろうとしても案内突部３８に乗り上げる形になって鎖錠片３３ｂと案内突部３８との間に電線が確実に挟持され、電線はできるだけ両案内突部３８の間を通るように誘導される。要するに、電線が撚り線であってもばらばらに広がる可能性を低減することができる。さらに、案内突部３８の位置が鎖錠片３３ｂの先端部付近であることによって、電線が案内突部３８に乗り上げた状態でも鎖錠片３３ｂから比較的大きい接触圧を電線に作用させることができ、電線の電気的な接続を確実に確保することができる。
【００３１】
【発明の効果】
請求項１の発明は、一面に開口面を有したボディおよびボディの開口面側に結合されるカバーにより形成された器体と、カバーに揺動自在に設けたハンドルと、ボディに収納され電線が接続される複数個の端子板と、ボディに収納されハンドルの揺動に伴って端子板間の電路を開閉する接点装置と、ハンドルに取り付けられ電源と負荷との間に接点装置を挿入した電路が形成されているときに接点装置が開放された状態で電源から通電される位置表示灯と、少なくとも１つの端子板に一端部が固定され他端部が位置表示灯を実装した回路基板の導電部に弾接することにより端子板と位置表示灯とを電気的に接続する接触子とを備え、接触子が固定される端子板はボディの開口面に沿った連結片を備え、接触子の前記一端部が連結片のカバー側の表面に重なる取付片を備えるとともに、連結片の両側部に結合される結合部を取付片の両側縁に備え、さらに接触子の前記取付片において結合部を設けた側縁とは異なる周縁にカバーから突設された押さえ片と前記連結片との間に挟持される延設片が設けられているものであり、ボディに収納した端子板とカバーに設けた押さえ片との間で接触子に設けた延設片を挟持するから、接触子の端子板への取付作業を複雑にすることなく端子板に対する接触子の固定強度を従来構成よりも強固にして端子板に対する接触子のがたつきを防止することができるという利点がある。
【００３２】
請求項２の発明は、請求項１の発明において、前記取付片の一方の側縁に設けた結合部が前記連結片の一方の側部を囲む断面コ字状に形成された係止片であり、前記取付片の他方の側縁に設けた結合部が前記連結片の他方の側面に沿って延長された挟み片および挟み片を切り起こして形成され前記取付片の裏面側に係止される係止爪であることを特徴とするものであり、端子板の連結片に係止片を引っ掛けた状態で係止爪を連結片に係止するだけの簡単な作業で端子板に接触子を取り付けることができる。
【００３３】
請求項３の発明は、請求項１または請求項２の発明において、前記ボディに３個の端子板が収納され、２個の端子板にそれぞれ保持された固定接点に選択的に接触する可動接点が残りの端子板に電気的に接続され、固定接点を保持する２個の端子板にそれぞれ前記接触子が固定されるものであり、３路スイッチの構成において、負荷への電源遮断時に点灯する位置表示灯を設けることができる。
【図面の簡単な説明】
【図１】本発明の実施の形態を示す縦断面図である。
【図２】同上の分解斜視図である。
【図３】同上を示し、（ａ）は正面図、（ｂ）は下面図、（ｃ）は側面図である。
【図４】同上に用いる接触子を示す斜視図である。
【図５】同上の要部断面図である。
【図６】従来例を示す分解斜視図である。
【図７】同上に用いる端子板と接触子との関係を示し、（ａ）は分解斜視図、（ｂ）は組立後の斜視図である。
【図８】同上に用いる端子板と接触子との関係を示し、（ａ）は分解斜視図、（ｂ）は組立後の斜視図である。
【符号の説明】
１  器体
１０  ボディ
２０  カバー
２７  押さえ片
３２  端子板
４０  接点装置
４１ａ，４１ｂ  固定接点
４２ａ，４２ｂ  可動接点
４５，４６  端子板
４５ｃ，４６ｃ  連結片
４７  接触子
４７ａ  取付片
４７ｂ  係止片
４７ｃ  挟み片
４７ｄ  係止爪
４７ｆ  延設片
５０  反転ハンドル
６０  操作ハンドル
７０  回路基板
７１  位置表示灯
【図１】
0003800951.tif 000002
【図２】
0003800951.tif 000003
【図３】
0003800951.tif 000004
【図４】
0003800951.tif 000005
【図５】
0003800951.tif 000006
【図６】
0003800951.tif 000007
【図７】
0003800951.tif 000008
【図８】
0003800951.tif 000009